(57)【要約】【課題】犬との散歩の時には持ち運び用ハンドルは短く、本体は遮蔽してコンパクトな器具で、犬が排便を模様した時に、瞬時に片手操作でハンドルの腕の部分を長くすると同時に、遮蔽した器具の受け口を開口して、犬の糞を道路上等に落ちる前にキャッチする。【解決手段】持ち運び用取手で下げる筐体から、自重のモ−メントで貝状に開口する受け皿を、蓋に装着する腕の部分をパイプ等で上段、下段パイプ等の複数段に分割して伸縮自在のハンドルで、下段パイプに収納する上段パイプを、下部先端が受け皿の開口する反回動部を圧接し、上部の取手部が持ち運び用取手の上部近傍に配置構成される。【選択図】図２
0003124999.tif 000002
【実用新案登録請求の範囲】
【請求項１】
持ち運び取手で下げる筐体を、塵取り形式に底面、側面、および背面で受け口を形成する受け皿と、該受け皿の受け口を包んで遮蔽する蓋とで、側面を軸で枢着して該受け皿がフリ−の状態では自重のモ−メントで該軸を中心に自動的に回動して受け口側を貝状に開口するよう構成した器具において、該蓋に装着する受け皿開閉制御用ハンドルの腕の部分をパイプ等で上段パイプ、および、下段パイプ等の複数段に分割して釣竿形式に伸縮自在に構成し、該下段パイプに収納する該上段パイプを、下部先端が該下段パイプの下部を貫通して開口する該受け皿の受け口側の回動方向と該軸を対称に反対方向に回動する背面側を圧接して該受け口側を遮蔽位置まで回動した時、上部先端に形設する取手部が、該持ち運び用取手の上部近傍になるよう配置構成したことを特徴とする犬の散歩用排便処理具。
【考案の詳細な説明】
【技術分野】
【０００１】  本考案は、犬との散歩中に犬が道路上等で排泄する糞を、道路上等に落ちる前に携帯用の器具にキャッチして持ち帰る、犬の散歩用排便処理具に関するものである。
【背景技術】
【０００２】  犬との散歩中に犬が道路上等で排泄する糞を、道路上等に落ちる前にキャッチする器具においては、犬の動きのある中で突然に模様する排便のタイミングに遅れずにキャッチする対応が必要になる。それには、犬の尻の下へ落ちる糞をキャッチする受け皿を敏速に動いて置ける立つ姿勢で操作の出来る腕の長いハンドルの器具が必要になるが、従来の腕の部分を常に長く固定した器具では持ち歩き難く、また、不体裁であった。【０００３】  また、腕の長いハンドルを折りたたみ式にして、持ち運び時に短くたたむコンパクトな器具では、瞬時のタイミングにハンドルを伸ばす操作と、糞をキャッチする受け皿を遮蔽する本体から開口する二つの操作を、片手に犬のつながるヒモを持つ不自由な状態で行なわなければならず、対応に時間が掛かるため糞をキャッチするのに間に合わなかったり、間に合わないことを心配して事前からハンドルを長く伸ばして持ち歩き、糞をキャッチした後でハンドルを短くたたんで持ち帰る利用しか出来ない等の欠点があつた。
【考案の開示】
【考案が解決しようとする課題】
【０００４】  愛犬との散歩は楽しい雰囲気で行ないたいものである。そのためには、携帯品はコンパクトで持ち運び易いものが望ましい。しかし、散歩中に突然に犬が排泄する糞を道路上等に落ちる前に受け皿にキャッチする敏速性を必要とする処理作業には、片手に持ったヒモにつながる犬の動きに合わせて敏速に作業が出来る立つ姿勢での対応が必要になるため、キャッチ処理のしやすい腕の長いハンドルへの転換が必要になると同時に、遮蔽する筐体の器具から受け口側を開口して受け皿を準備する操作が、手の空いている片手で瞬時に出来ることである。
【課題を解決するための手段】
【０００５】  持ち運び取手で下げる筐体を、塵取り形式に、底面、側面、および背面で受け口を形成する受け皿と、該受け皿の受け口を包んで遮蔽する蓋とで、側面を軸で枢着して該受け皿がフリ−の状態では自重のモ−メントで該軸を中心に自動的に回動して受け口側を貝状に開口するよう構成して、該蓋に装着する受け皿開閉制御用ハンドルの腕の部分をパイプ等で上端に取手部を一体とする上段パイプ、および、該上段パイプを収納する下段パイプ等の複数段にに分割して釣竿形式に伸縮自在に構成し、該下段パイプに収納する該上段パイプを、下部先端が該下段パイプの下部を貫通して開口する該受け皿の受け口側の回動方向と該軸を対称に反対方向に回動する背面側をを圧接して受け口側を遮蔽位置まで回動した時、上部先端に形設する取手部が、該持ち運び用取手の上部近傍に配置構成して問題点を解決している。
【考案の効果】
【０００６】  上述の様に、本考案の犬との散歩中に犬が排泄する糞を道路上等に落ちる前にキャッチする犬の排便処理具は、本体の持ち運び用取手と受け皿開閉制御用ハンドルの取手部の二つの取手を合わせて片手で握ることで、該取手部と一体の上段パイプの下部先端が遮蔽する受け皿の背面を圧接する状態を維持するため、遮蔽する本体が歩く動作で揺れても受け皿の開口を防止して遮蔽するコンパクトな筐体を保持し、また、犬の排便の模様を感じた時には、該本体の持ち運び用取手から指を離して該受け皿開閉制御用ハンドルの該取手部のみを握ると、本体の重量を受ける該取手部と一体の該上段パイプは、引き出されて下端が該下段パイプの上端と連結して腕の部分を長くすると同時に、外力の圧接から解放された該受け皿が、構成するコンパクトな筐体から自重のモ−メントで軸を中心に自動的に回動して受け口側を開口する。以上の様に、本考案は片手で該取手部を握ったまま、瞬時にして、立つ姿勢で糞をキャッチする準備が出来るものである。
【考案の実施するための最良の形態】
【０００７】  以下、本考案の実施の形態を図１〜図５に基ずいて説明する。図２において、犬の散歩用排便処理具本体１（以下本体）は、犬の糞が道路上等に落ちる前にキャッチする受け冊２を、道路上等に接する受け皿底面２ａに糞のこぼれ防止の受け皿側面２ｂと受け皿背面２ｃで塵取り形式に形成し、該受け皿２を図３に示す如く、該受け皿背面２ｃを下側にして受け口側を立てた状態の開口面を包んで外部より遮蔽する蓋３とで筐体を構成する。
【０００８】  該蓋３は、本体の持ち運び用取手３ａを蓋上面３ｂの重心部に一体に形設し、更に、図４に示す如く該受け皿２を蓋側面３ｃに軸４で両側面から枢着し、フリ−の状態では該軸４を中心に自重のモ−メントで自動的に回動して貝状に受け口側を開口し、開口後に中振り状態にならぬよう該受け皿底面２ａが当節する蓋底面３ｄを形設して外部を遮蔽する蓋正面３ｅとで形成している。
【０００９】  また、図２、図４で示す如く、５は該蓋上面３ｂを貫通して該蓋正面３ｅの裏面に固定バンド６で垂直方向に装着した受け皿開閉制御用ハンドルで、門形をして上部の水平部を取手部５ａとし、腕の部分５ｂをパイプ等で該取手部５ａと一体の上段パイプ５ｃ，および、下段パイプ５ｄ等の複数段に分割し、引き出すと一体に連結してつながり長くなる釣竿形式に構成することにより、該取手部５ａを持ち上げれば該上段パイプ５ｃは、固定バンド６で該蓋正面３ｅの裏面に固定された該下段パイプ５ｄから引き出されて各端部が連結してつながり該腕の部分５ｂは長くなる。また、押し下げると図３に示す如く、連結部は離れて該下段パイプ５ｄに納まり該腕の部分５ｂは短くなる。
【００１０】  この該腕の部分５ｂを短くした時、該上段パイプ５ｃを、下部先端５ｅが該下段パイプ５ｄの下端から突き出して該蓋３で遮蔽する状態の該受け皿背面２ｃを圧接して受け口側を遮蔽位置まで回動した時、上部へ水平に形設する該取手部５ａが該本体の持ち運び用取手３ａの上部近傍になるよう配置構成している。
【００１１】  本考案の実施するための最良の形態は上述の如き構成からなるものであるから、該取手部５ａと該本体の持ち運び用取手３ａを片手で合わせて握ることが出来るため、その握力で該上段パイプの下部先端５ｅを、遮蔽する該受け皿背面２ｃへの圧接を維持することが出来るので、持ち歩いても該本体１の遮蔽状態を保ち、また、前述する片手で合わせて握る二つの取手から該本体の持ち運び用取手３ａを離して該取手部５ａだけを持てば、該本体１の荷重を受ける該上段パイプ５ｃが引き出されて該腕の部分５ｂは長くなり、該上段パイプの下部先端５ｅが圧接する該受け皿の背面２ｃから離れるため、圧接が解除され外力からフリ−になった該受け皿２は、自重のモ−メントで該軸４を中心に自動的に回動して受け口側を貝状に開口する。
【００１２】  受け口側を開口した該受け皿２の遮蔽方法は図５に示す如く、該受け皿開閉制御用ハンドル５と該受け皿底面２ａの開口角度Ｗを９０度以下にして、該取手部５ａを持って該上段パイプ５ｃをＸ方向に押し下げれば、該上段パイプの下部先端５ｅが該受け皿背面２ｃを圧接して該軸４を中心に該受け皿背面２ｃをＹ方向に回動させ、該受け皿先端２ｄをＺ方向に回動して、該受け皿背面２ｃを蓋底面３ｄに当接して該受け皿２の開口する受け口側を該蓋３で遮蔽する。
【００１３】  該受け皿先端２ｄと該蓋上面３ｂの開口側端面の各両端の対称位置に突起を形設（図示せず）し、袋の口を対称に係止して袋部を本体に内蔵すれば、キャッチする糞は該袋に入るので本体内部は汚れず、また、糞を該袋ごと取り出して廃棄することが出来、後始末が便利な犬の散歩用排便処理器具となる。
【図面の簡単な説明】
【００１４】
【図１】本考案の犬の散歩用排便処理具の一実施例を示す遮蔽形態の斜視図である。
【図２】同一実施例を示す開口形態の斜視図である。
【図３】同一実施例を示す遮蔽形態の側面断面図である。
【図４】同一実施例を示す開口形態の側面断面図である。
【図５】同一実施例を示す開口形態から遮蔽形態への動作を示す側面断面図である。
【符号の説明】
【００１５】  １      犬の散歩用排便処理具本体
２      受け皿
２ａ    受け皿底面
２ｂ    受け皿側面
２ｃ    受け皿背面
２ｄ    受け皿先端
３      蓋
３ａ    本体の持ち運び用取手
３ｂ    蓋上面
３ｃ    蓋側面
３ｄ    蓋底面
３ｅ    蓋正面
４      軸
５      受け皿開閉制御用ハンドル
５ａ    取手部
５ｂ    腕の部分
５ｃ    上段パイプ
５ｄ    下段パイプ
５ｅ    上段パイプの下部先端
６      固定バンド
Ｗ      受け皿開閉制御用ハンドルと受け皿底面との開口角度
Ｘ      上段パイプの収納方向
Ｙ      受け皿背面の回動方向
Ｚ      受け皿先端の回動方向
【図１】
0003124999.tif 000003
【図２】
0003124999.tif 000004
【図３】
0003124999.tif 000005
【図４】
0003124999.tif 000006
【図５】
0003124999.tif 000007